(57)【要約】【課題】  ボール案内でありながら高速まで運転可能な玉軸受用保持器を提供する。【解決手段】  この玉軸受用保持器は、内外輪１，２間に介在するボール４を、円環部５の円周方向複数箇所に設けられたポケットＰｔに保持し、円環部５は、軸方向両側に配置される環状部６，７と、これら環状部６，７を繋ぎ円周方向複数箇所に配置される柱部８とを備える。軸方向両側の環状部６，７と、円周方向に隣接する柱部８とでポケットＰｔが形成されるボール案内である。各柱部８における外径部分に、ポケット側に延びてボール４を外径側から案内面９ａで拘束して案内する外径拘束部９を設け、案内面９ａを、ポケット内の円周方向両側で軸方向に沿って配置される平面とし、かつ案内面９ａを保持器３の軸方向から見て柱部８からポケット中心側に向かうに従って大径側に至るように傾斜する傾斜面とした。【選択図】      図１
2015048874.tif 000002
【特許請求の範囲】
【請求項１】
内外輪間に介在するボールを、円環部の円周方向複数箇所に設けられたポケットに保持し、前記円環部は、軸方向両側に配置される環状部と、これら環状部を繋ぎ円周方向複数箇所に配置される柱部とを備え、前記軸方向両側の環状部と、円周方向に隣接する柱部とで前記ポケットが形成されるボール案内の玉軸受用保持器において、
前記各柱部における外径部分に、ポケット側に延びて前記ボールを外径側から案内面で拘束して案内する外径拘束部を設け、前記案内面を、前記ポケット内の円周方向両側で軸方向に沿って配置される平面とし、かつ前記案内面を保持器の軸方向から見て前記柱部からポケット中心側に向かうに従って大径側に至るように傾斜する傾斜面としたことを特徴とする玉軸受用保持器。
【請求項２】
請求項１記載の玉軸受用保持器において、前記円環部における軸方向一方の環状部を、軸方向他方の環状部よりも大径となる位置に配置し、前記外径拘束部を、前記柱部と前記軸方向一方の環状部とに渡って設けた玉軸受用保持器。
【請求項３】
請求項２記載の玉軸受用保持器において、前記軸方向一方の環状部は、前記ポケット内で前記柱部に繋がる平面部を有し、この平面部から内周側に続く内周部と前記平面部との繋ぎ部を丸面取りからなるＲ部とし、このＲ部または前記平面部で前記ボールを前記軸方向一方の環状部に案内させる玉軸受用保持器。
【請求項４】
請求項２または請求項３記載の玉軸受用保持器において、前記軸方向他方の環状部は、前記ポケット内で前記柱部に繋がる平面部と、この平面部から外周側に続き前記ボールのピッチ円直径よりも大径となる外周部とを有し、前記平面部で前記ボールを軸方向他方の環状部に案内させる玉軸受用保持器。
【請求項５】
請求項１ないし請求項４のいずれか１項に記載の玉軸受用保持器において、アンギュラ玉軸受用の保持器である玉軸受用保持器。
【請求項６】
請求項１ないし請求項５のいずれか１項に記載の玉軸受用保持器において、樹脂製である玉軸受用保持器。
【請求項７】
請求項６記載の玉軸受用保持器において、射出成型にて製作される玉軸受用保持器。
【請求項８】
請求項１ないし請求項７のいずれか１項に記載の玉軸受用保持器を用いた工作機械主軸用のアンギュラ玉軸受。
【発明の詳細な説明】
【技術分野】
【０００１】
この発明は、例えば、工作機械主軸等に用いられる玉軸受用保持器に関する。
【背景技術】
【０００２】
玉軸受用保持器は、保持器以外の軸受構成部品つまり内輪、外輪、ボールのいずれかに案内されながら公転するが、案内される相手部品によって、「内輪案内保持器」、「外輪案内保持器」、「ボール案内保持器」の３形式に区分される。
工作機械主軸等に使用されるアンギュラ玉軸受は、通常、内径拘束形のボール案内保持器が使用されることが多い（特許文献１，２：内径拘束形のボール案内アンギュラ玉軸受、特許文献３：内径拘束形のボール案内保持器。また外径拘束形のボール案内保持器の提案されている（特許文献４）)。
【０００３】
しかし、内輪内径（ｍｍ）と回転速度（ｍｉｎ−１）との積であるｄｎ値で１１０万程度を超えるような高速領域になると、外輪案内保持器（特許文献５）が使用されることが多い。これは、内径拘束形のボール案内保持器を高速回転すると、遠心力の作用で保持器が膨張することや保持器が振れまわることで、保持器のボール受け部（内径拘束形は保持器の内径側部分）とボールとの接触により、ボール受け部にかかる抵抗や発熱が次第に大きくなり正常な回転を阻害するからである。
【先行技術文献】
【特許文献】
【０００４】
【特許文献１】特許第３６１１９１８号公報
【特許文献２】特開平９−２３６１２７号公報
【特許文献３】特許第４１９２５１５号公報
【特許文献４】特開２００６−１６１８８２号公報
【特許文献５】特開２０１１−１０６６６５号公報
【発明の概要】
【発明が解決しようとする課題】
【０００５】
工作機械主軸等に使用されるアンギュラ玉軸受は、回転速度が速いため、比重の重い金属製保持器の使用は少なく、ガラス繊維やカーボン繊維等で補強されたナイロンやＰＰＳ、ＰＥＥＫ、またはフェノールなどの樹脂製保持器が使用される。またその案内方式については、通常、内径拘束形のボール案内保持器が使用されることが多いが、ｄｎ値で１１０万程度を超えるような高速領域では、外輪または内輪である軌道輪に案内（接触）されながら回転する軌道輪案内保持器が使用されることが多い。
【０００６】
これは内径拘束形のボール案内保持器を高速回転すると、遠心力の作用で保持器が膨張することや保持器が振れ回ることで、保持器のボール受け部とボールの接触による抵抗や発熱が次第に大きくなり正常な回転を阻害するからである。正常な回転が阻害された場合、接触面での局部的な発熱や潤滑不良となり、軸受の異常温度上昇に進展する。
従来の外径拘束形のボール案内保持器では、円環部の外径面に、各ポケットにおける円周方向の両側縁から外径側へ延びる爪部を設けている。この保持器が熱膨張した場合には、ボールの案内作用を受ける爪部がボールから離れるため、局部的な発熱を防止することができる。しかし、この従来の保持器は、前記爪部がポケットの軸方向幅の中央に位置して大きく突出するため、ポケット内の潤滑油の流れがいま一つ満足できず、工作機械主軸等の用途にて高速回転する場合には、さらに潤滑油の流れを改良してより一層の安定した高速回転を図り得る。
【０００７】
外輪案内保持器では保持器を案内（接触）する外輪内径面を、内輪案内保持器では内輪外径面を、それぞれ高精度且つ微細な面粗さに加工管理する必要があり、通常研削仕上げ加工を施し、コスト高の要因となる。
ボール案内保持器は、すでに高精度、微細な面粗さに管理されたボールとの案内（接触）であり、外輪内径面や内輪外径面を研削仕上げとする必要はない。
【０００８】
通常の内径拘束形のボール案内保持器は、図２４（Ａ）に示すように、径方向に貫通し円弧形状のポケットＰｔが開けられている。内径拘束形のボール受け部５０は、図２４（Ｂ）に示すように、保持器位置が中立位置状態のときにボール５１とのすきまＢが設定され、保持器５２を径方向に動かしても内輪５３、外輪５４とは接触しないボール案内が保たれている。
この内径拘束形のボール案内保持器を高速運転すると、図２５に示すように、保持器５２の遠心膨張や振れ回りなどによりボール公転周方向Ｑ点でボール５１とポケットＰｔが接触し、場合によっては保持器ポケットＰｔにボール５１がくい込むことになり、ボール５１とポケットＰｔの接触による抵抗や発熱が大きい。
【０００９】
この発明の目的は、ボール案内でありながら高速まで運転可能な玉軸受用保持器を提供することである。
【課題を解決するための手段】
【００１０】
この発明の玉軸受用保持器は、内外輪間に介在するボールを、円環部の円周方向複数箇所に設けられたポケットに保持し、前記円環部は、軸方向両側に配置される環状部と、これら環状部を繋ぎ円周方向複数箇所に配置される柱部とを備え、前記軸方向両側の環状部と、円周方向に隣接する柱部とで前記ポケットが形成されるボール案内の玉軸受用保持器において、前記各柱部における外径部分に、ポケット側に延びて前記ボールを外径側から案内面で拘束して案内する外径拘束部を設け、前記案内面を、前記ポケット内の円周方向両側で軸方向に沿って配置される平面とし、かつ前記案内面を保持器の軸方向から見て前記柱部からポケット中心側に向かうに従って大径側に至るように傾斜する傾斜面としたことを特徴とする。
【００１１】
この構成によると、各柱部における外径部分に、ボールを外径側から案内面で拘束して案内する外径拘束部を設けて外径拘束としたため、内径拘束と異なり、高速運転時に保持器に遠心力が作用しても、保持器がボールに干渉することなく外径側に膨張する。このように、ボールに対して保持器の一部がくい込むことはないため、保持器とボールとの接触に起因する局部的な発熱を回避することができる。
特に、外径拘束部の案内面を、ポケット内の円周方向両側で軸方向に沿って配置される平面としたため、案内面に潤滑油が入りやすくなり発熱を低減させ得る。さらに案内面を、保持器の軸方向から見て柱部からポケット中心側に向かうに従って大径側に至るように傾斜する傾斜面としたことで、案内面に供給した潤滑油を、遠心力により傾斜面に沿ってポケット中心側に逃がすことができる。このように案内面に潤滑油が入りやすくなるうえ、案内面に供給した潤滑油を停滞させることなく円滑に排除することができるため、案内面の発熱の低減を一層図ることができ、よって高速運転可能とすることができる。またボール案内であるため、外輪内径面や内輪外径面を研削仕上げする必要がなくなるため、加工工数の低減を図ることができる。
【００１２】
ところで転動体案内保持器として、外径拘束形のボール案内保持器（特許文献４）があるが、量産性に有利な成形保持器では、保持器ポケット部の形状をした金型部品が外径方向に向かって抜ける方式が主流で、この方式は、樹脂の弾性変形を利用した無理抜きの方法となる。この場合、樹脂の弾性変形部を逃がす空間が、ボール案内部分の背面側に必要である。その空間のため、ボールと隣り合うボールの間隔が広くなり、結果としてボール個数が少なくなり、負荷容量が小さくなるデメリットがある。
【００１３】
また、保持器ポケット部の形状をした金型部品が内径方向に向かってスライドする脱型方式の金型でも、スライド部品が内径側に集まる。このことから、各ボール間の間隔を広く取る必要があり、結果としてボール個数が少なく、負荷容量が小さくなる。
特許文献３に、軸方向に金型を抜く例があるが、その形状から内径拘束形のボール案内保持器であり、内径拘束形の保持器のデメリットは上記に述べた内容と同じである。
【００１４】
この発明において、前記円環部における軸方向一方の環状部を、軸方向他方の環状部よりも大径となる位置に配置し、前記外径拘束部を、前記柱部と前記軸方向一方の環状部とに渡って設けても良い。軸方向一方の環状部を、軸方向他方の環状部よりも大径となる位置に配置したため、金型を軸方向にスライドさせる脱型方式を採用することができる。外径拘束形の保持器でありながら、金型を軸方向にスライドさせる脱型方式を採用できるため、樹脂の弾性変形を利用する必要がなく、保持器の一部に応力が集中することを回避できる。この場合、従来のように樹脂の弾性変形部を逃がす空間を、ボール案内部分の背面側に確保する必要がなくなるため、隣接するボール間隔を狭くすることが可能となる。結果としてボール個数を多くすることができ、よって負荷容量を大きくすることが可能となる。また樹脂の弾性変形を利用する必要がなくなるため、使用できる保持器材料の選択肢が増える。
【００１５】
前記軸方向一方の環状部は、前記ポケット内で前記柱部に繋がる平面部を有し、この平面部から内周側に続く内周部と前記平面部との繋ぎ部を丸面取りからなるＲ部とし、このＲ部または前記平面部で前記ボールを前記軸方向一方の環状部に案内させるものとしても良い。この場合、軸方向一方の環状部でボールを点接触または線接触させて案内させることができるため、例えば、ボールを円弧状の面で面接触させて案内させるものより、発熱を低減させることができる。
【００１６】
前記軸方向他方の環状部は、前記ポケット内で前記柱部に繋がる平面部と、この平面部から外周側に続き前記ボールのピッチ円直径よりも大径となる外周部とを有し、前記平面部で前記ボールを軸方向他方の環状部に案内させるものとしても良い。この場合、軸方向他方の環状部でボールを点接触させて案内させることができるため、例えば、ボールを円弧状の面で面接触させて案内させるものより、発熱を低減させることができる。
【００１７】
いずれかの発明の玉軸受用保持器は、アンギュラ玉軸受用の保持器であっても良いし、樹脂製であっても良い。
前記樹脂製の玉軸受用保持器は、射出成型にて製作されるものとしても良い。
いずれかの発明の玉軸受用保持器を用いた工作機械主軸用のアンギュラ玉軸受であっても良い。
【発明の効果】
【００１８】
この発明の玉軸受用保持器は、内外輪間に介在するボールを、円環部の円周方向複数箇所に設けられたポケットに保持し、前記円環部は、軸方向両側に配置される環状部と、これら環状部を繋ぎ円周方向複数箇所に配置される柱部とを備え、前記軸方向両側の環状部と、円周方向に隣接する柱部とで前記ポケットが形成されるボール案内の玉軸受用保持器において、前記各柱部における外径部分に、ポケット側に延びて前記ボールを外径側から案内面で拘束して案内する外径拘束部を設け、前記案内面を、前記ポケット内の円周方向両側で軸方向に沿って配置される平面とし、かつ前記案内面を保持器の軸方向から見て前記柱部からポケット中心側に向かうに従って大径側に至るように傾斜する傾斜面としたため、ボール案内でありながら高速まで運転可能とすることができる。
【図面の簡単な説明】
【００１９】
【図１】この発明の第１の実施形態に係る玉軸受用保持器を使用したアンギュラ玉軸受の断面図である。
【図２】同玉軸受用保持器を外径側から見た平面図である。
【図３】同玉軸受用保持器を軸方向一方から見た側面図である。
【図４】同玉軸受用保持器を内径側から見た図である。
【図５】同玉軸受用保持器を軸方向一方から見た斜視図である。
【図６】同玉軸受用保持器を成形する金型を概略示す断面図である。
【図７】参考提案例の玉軸受用保持器を使用したアンギュラ玉軸受の断面図である。
【図８】同玉軸受用保持器の要部の平面図である。
【図９】高速運転時における同玉軸受用保持器とボールとの関係を示す断面図である。
【図１０】ポケット全周をテーパ形状とした参考提案例の玉軸受用保持器の要部の平面図である。
【図１１】図１０のＡ−Ａ線断面図である。
【図１２】図１０のＢ−Ｂ線断面図である。
【図１３】ポケットの両側のみにテーパ形状を設けた参考提案例の玉軸受用保持器の要部の平面図である。
【図１４】図１３のＣ−Ｃ線断面図である。
【図１５】図１３のＤ−Ｄ線断面図である。
【図１６】同玉軸受用保持器の斜視図である。
【図１７】他の参考提案例の玉軸受用保持器の要部の平面図である。
【図１８】図１７のＥ−Ｅ線断面図である。
【図１９】図１７のＦ−Ｆ線断面図である。
【図２０】同玉軸受用保持器の斜視図である。
【図２１】さらに他の参考提案例の玉軸受用保持器の要部の平面図である。
【図２２】図２１のＧ−Ｇ線断面図である。
【図２３】図２１のＨ−Ｈ線断面図である。
【図２４】（Ａ）は従来の玉軸受の断面図、（Ｂ）は図２４（Ａ）の要部の拡大断面図である。
【図２５】従来の玉軸受用保持器の要部の側面図である。
【発明を実施するための形態】
【００２０】
この発明の第１の実施形態を図１ないし図６と共に説明する。この実施形態に係る玉軸受用保持器は、特に、工作機械主軸用のアンギュラ玉軸受の保持器に適用される。
図１は、玉軸受用保持器を使用したアンギュラ玉軸受の断面図である。このアンギュラ玉軸受は、内輪１と外輪２との間に、保持器３に保持されたボール４が介在している。ボール４は、例えば、鋼球やセラミックス等からなる。
【００２１】
この保持器３は、外径拘束形のボール案内保持器である。保持器３は、内外輪１，２間に介在するボール４を、円環部５の円周方向複数箇所に設けられたポケットＰｔに保持し、円環部５は、軸方向両側に配置される環状部６，７と、これら環状部６，７を繋ぎ円周方向複数箇所に配置される柱部８とを備える。軸方向両側の環状部６，７と、円周方向に隣接する柱部８とで前記ポケットＰｔが形成される。円環部５における軸方向一方の環状部６を、軸方向他方の環状部７よりも大径となる位置に配置し、各柱部８は、一方の環状部６から他方の環状部７に向かうに従って内径側に至るように傾斜する形状に形成される。
【００２２】
図２は、この保持器３を外径側から見た平面図であり、図３は、同保持器３を軸方向一方から見た側面図である。図２および図３に示すように、各柱部８における外径部分に、外径拘束部９を設けている。この外径拘束部９は、各柱部８からポケット側に延びてボール４を外径側から案内面９ａで拘束して案内する。
【００２３】
図４は保持器３を内径側から見た図である。同図に示すように、外径拘束部９の案内面９ａを、ポケット内の円周方向両側でそれぞれ軸方向に配置される平面としている。ポケット内における円周方向両側の案内面９ａは、回転方向に案内される。１つのポケットＰｔにおいて、回転方向に案内される両案内面９ａのうち、一方の案内面９ａにおける、柱部８に繋がる基端部から、他方の案内面９ａにおける、柱部８に繋がる基端部までの長さＬ１は、ボール径Ｂｄよりも僅かに長く設定されている。
【００２４】
図５は、この保持器３を軸方向一方から見た斜視図である。図３および図５に示すように、外径拘束部９の案内面９ａを、保持器３の軸方向一方から見て柱部８からポケット中心側に向かうに従って大径側に至るように傾斜する傾斜面としている。外径拘束部９は、柱部８と軸方向一方の環状部６とに渡って一体成形されている。
【００２５】
図１および図３に示すように、軸方向一方の環状部６は、ポケット内で柱部８に繋がる平面部６ａを有する。前記一方の環状部６は、平面部６ａから内周側に続く内周部６ｂと前記平面部６ａとの繋ぎ部６ｃを、丸面取りからなるＲ部としている。このＲ部または前記平面部６ａでボール４を前記一方の環状部６に案内させるようになっている。
【００２６】
図１に示すように、軸方向他方の環状部７は、ポケット内で柱部８に繋がる平面部７ａと、この平面部７ａから外周側に続きボール４のピッチ円直径ＰＣＤよりも大径となる外周部７ｂとを有する。前記平面部７ａでボール４を軸方向他方の環状部７に案内させる。また、軸方向他方の環状部７には、平面部７ａの内周縁部に続く環状突起７ｃが設けられている。この環状突起７ｃは、内径側に向かうに従って軸方向中心側に至るように傾斜する断面形状に形成される。
【００２７】
保持器３は、例えば、ガラス繊維やカーボン繊維等で補強されたナイロンやＰＰＳ、ＰＥＥＫ、またはフェノールなどの樹脂製であり、射出成型にて製作される。但し、前記樹脂材料に限定されるものではない。
図６は、保持器３を射出成型にて成形する金型１０を概略示す断面図である。同図に示すように、金型１０は、断面略Ｌ形の金型部品１０ａ，１０ｂが組み合わされて構成される。金型部品１０ａ，１０ｂは、互いに軸方向Ａ１にスライド可能に構成される。金型部品１０ａ，１０ｂが組み合わされた状態で前記樹脂材料を充填するキャビティ１１が形成される。保持器３は、所望の形状に成型された後、金型部品１０ａ，１０ｂを軸方向に相対的に離隔させて金型１０から取り出される。
【００２８】
作用効果について説明する。
各柱部８における外径部分に、ボール４を外径側から案内面９ａで拘束して案内する外径拘束部９を設けて外径拘束としたため、内径拘束と異なり、高速運転時に保持器３に遠心力が作用しても、保持器３がボール４に干渉することなく外径側に膨張する。このように、ボール４に対して保持器３の一部がくい込むことはないため、保持器３とボール４との接触に起因する局部的な発熱を回避することができる。
【００２９】
特に、外径拘束部９の案内面９ａを、ポケット内の円周方向両側で軸方向に沿って配置される平面としたため、案内面９ａに潤滑油が入りやすくなり発熱を低減させ得る。さらに案内面９ａを、保持器３の軸方向から見て柱部８からポケット中心側に向かうに従って大径側に至るように傾斜する傾斜面としたことで、案内面９ａに供給した潤滑油を、遠心力により傾斜面に沿ってポケット中心側に逃がすことができる。このように案内面９ａに潤滑油が入りやすくなるうえ、案内面９ａに供給した潤滑油を停滞させることなく円滑に排除することができるため、案内面９ａの発熱の低減を一層図ることができ、よって高速運転可能とすることができる。またボール案内であるため、外輪内径面や内輪外径面を研削仕上げする必要がなくなるため、加工工数の低減を図ることができる。
【００３０】
軸方向一方の環状部６を、軸方向他方の環状部７よりも大径となる位置に配置したため、金型１０を軸方向Ａ１にスライドさせる脱型方式を採用することができる。外径拘束形の保持器３でありながら、金型１０を軸方向にスライドさせる脱型方式を採用できるため、樹脂の弾性変形を利用する必要がなく、金型１０を型開きするとき保持器３の一部に応力が集中することを回避できる。この場合、従来のように樹脂の弾性変形部を逃がす空間を、ボール案内部分の背面側に確保する必要がなくなるため、隣接するボール間隔を狭くすることが可能となる。結果としてボール個数を多くすることができ、よって負荷容量を大きくすることが可能となる。また樹脂の弾性変形を利用する必要がなくなるため、使用できる保持器材料の選択肢が増える。
【００３１】
Ｒ部または平面部６ａでボール４を軸方向一方の環状部６に案内させるため、この軸方向一方の環状部６でボール４を点接触または線接触させて案内させることができる。このため、例えば、ボールを円弧状の面で面接触させて案内させるものより、発熱を低減させることができる。
軸方向他方の環状部７は、ポケット内で柱部８に繋がる平面部７ａと、この平面部７ａから外周側に続きボール４のピッチ円直径ＰＣＤよりも大径となる外周部７ｂとを有し、前記平面部７ａでボール４を軸方向他方の環状部７に案内させる。このため、軸方向他方の環状部７でボール４を点接触させて案内させることができるため、例えば、ボールを円弧状の面で面接触させて案内させるものより、発熱を低減させることができる。
【００３２】
以下、図７乃至図２３において、ボール案内でありながら高速運転可能な参考提案例の玉軸受用保持器について説明する。
図７は、参考提案例の玉軸受用保持器３Ａを使用したアンギュラ玉軸受の断面図であり、図８は、同玉軸受用保持器３Ａの要部の平面図である。図９は、高速運転時における同玉軸受用保持器３Ａとボール４との関係を示す断面図である。
図７、図８に示すように、この保持器３Ａは、ボール案内保持器であり、円環部における軸方向一方の環状部６を、軸方向他方の環状部７よりも大径となる位置に配置している。柱部８は、これら環状部６，７を繋ぎ円周方向複数箇所に配置される。各柱部８は、一方の環状部６から他方の環状部７に向かうに従って内径側に至るように傾斜する形状に形成される。
【００３３】
この保持器３Ａは、円環部５の円周方向複数箇所に設けられたポケットＰｔが、大径側に向かって小となる５〜１０°程度で長さ１〜２ｍｍ程度のボール４を保持するテーパ部を有しており、ポケットＰｔが傾斜角α１をもって空けられている。ポケット傾斜角α１はアンギュラ玉軸受の接触角α２に近似した角度であり、両者の角度α１，α２が近似ているほど後述のＰ点の周速が遅くなる。ポケットＰｔのテーパ形状はボール４の公転方向に対し、ポケット傾斜角α１である軸芯を中心線とし左右対称である。ポケットＰｔの大きさは軸方向よりも周方向が０．２〜０．６ｍｍ程度長い。ポケット径は、保持器３Ａを径方向に動かした場合でも、前記保持器３Ａが内輪１や外輪２などの軌道輪とは接触しないボール案内となっている。
【００３４】
図９に示すように、主軸を支持する軸受の高速回転時は、保持器３Ａの遠心膨張、振れ回りなどにより、ボール４がポケットＰｔにくい込むとなった場合、それはＰ点で最も強く接触することになる。ボール自転によるＰ点の周速は、ボール自転軸Ｌ２とＰ点までの距離が小さいほど遅くなる。
ボール４は公転進行方向においてポケットＰｔとＦ点にて接触しながら回転するが（図１０）、ポケット寸法は周方向が長いためボールがポケットＰｔにくい込んでも、Ｆ点（図１０）において強い拘束力は受けない。
【００３５】
具体的な保持器形状を図１０〜図２３に示す。
図１０は、ポケット両側のみでなくポケット全周をテーパ形状とした参考提案例の玉軸受用保持器の要部の平面図である。図１１は、同玉軸受用保持器のＡ−Ａ線断面図であり、図１２は、同玉軸受用保持器のＢ−Ｂ線断面図である。
提案例の保持器構成によると、次の作用効果を奏する（以下の参考提案例についても同じ）。ボール４は公転進行方向においてポケットＰｔとＦ点にて接触しながら回転するが、ポケット寸法は周方向が長いため、ボール４がポケットＰｔにくい込んでもＦ点において強い拘束力は受けない。すなわち高速回転における保持器３Ａとボール４との強い接触点の周速差は、従来の保持器よりも提案例の保持器の方が小さくなり（Ｐ＜＜Ｑ）、ボール案内保持器でありながら従来以上により高速回転が可能となる。
【００３６】
図１３は、ポケットの両側のみにテーパ形状を設けた参考提案例の玉軸受用保持器の要部の平面図である。図１４は、同玉軸受用保持器のＣ−Ｃ線断面図であり、図１５は、同玉軸受用保持器のＤ−Ｄ線断面図である。図１６は同玉軸受用保持器の斜視図である。
図１３〜図１６に示すように、保持器３Ａのポケット両側のみにテーパ形状を設け、その他のポケット面は保持器中心とポケット中心を通る軸芯に対して平行な面としても良い。
【００３７】
図１７〜図２０に示すように、前記の保持器３Ａのポケット両側のみにテーパ形状を設けた保持器に対し、ボール公転方向のボール４とポケットＰｔの接触面を平面（ストレート部）としても良い。この平面の幅は例えば１〜２ｍｍ程度である。
図２１〜図２３に示すように、図１３〜図１６における両側のボール受け部平面を、凸部ではなく、連続面として形成しても良い。図１７〜図２０の提案例においても同様に両側のボール受け部平面を連続面としても良い。
【００３８】
前述のいずれの提案例の場合も、保持器の断面形状は、径方向よりも軸方向が長い長方形であっても良いし、ボール案内設計が寸法制約上余裕が無ければ（軌道輪内外径とのすきまに余裕が無ければ）、ボール公転方向に対しポケット左右の保持器径寸法を変えた段付き形状としても良い。
【符号の説明】
【００３９】
１…内輪
２…外輪
３…保持器
４…ボール
５…円環部
６，７…環状部
６ａ…平面部
６ｃ…繋ぎ部
７ａ…平面部
７ｂ…外周部
８…柱部
９…外径拘束部
９ａ…案内面
Ｐｔ…ポケット
【図１】
2015048874.tif 000003
【図２】
2015048874.tif 000004
【図３】
2015048874.tif 000005
【図４】
2015048874.tif 000006
【図５】
2015048874.tif 000007
【図６】
2015048874.tif 000008
【図７】
2015048874.tif 000009
【図８】
2015048874.tif 000010
【図９】
2015048874.tif 000011
【図１０】
2015048874.tif 000012
【図１１】
2015048874.tif 000013
【図１２】
2015048874.tif 000014
【図１３】
2015048874.tif 000015
【図１４】
2015048874.tif 000016
【図１５】
2015048874.tif 000017
【図１６】
2015048874.tif 000018
【図１７】
2015048874.tif 000019
【図１８】
2015048874.tif 000020
【図１９】
2015048874.tif 000021
【図２０】
2015048874.tif 000022
【図２１】
2015048874.tif 000023
【図２２】
2015048874.tif 000024
【図２３】
2015048874.tif 000025
【図２４】
2015048874.tif 000026
【図２５】
2015048874.tif 000027